(57)【要約】【課題】人手による各点の対応付けや特定のパターンの解析が不要であり、簡単に測定対象点の位置を正確に検出することができる位置測定装置を提供する。【解決手段】それぞれ異なるデータを光により送信している基準光源３１及び測定対象光源３２を含む映像を、複数の箇所で撮像部１１により撮影する。映像処理部１２は、撮影した映像からデータを復調し、また各光源の像の映像中の位置を特定する。基準光源位置取得部１３は基準光源３１からのデータをもとに基準光源３１の位置を取得し、撮影位置特定部１４は各撮影箇所における撮影位置及び姿勢を特定する。対象位置特定部１５は、複数の撮影箇所で撮影された映像中の測定対象光源３２の像を、得られたデータをもとに対応付け、同じデータを送信してきた測定対象光源３２について、複数の映像中の位置および複数箇所の撮影位置及び姿勢などから、当該測定対象光源３２の位置を特定する。【選択図】図１
2009031206.tif 000002
【特許請求の範囲】
【請求項１】
１ないし複数の測定対象光源から放射される光の像を含む映像を撮影する撮影手段と、前記撮影手段で撮影された映像から該映像中の前記測定対象光源の像の点滅あるいは光量変動をもとに前記測定対象光源が光により送信したデータを復調するとともに前記測定対象光源の像の前記映像中の位置を特定する映像処理手段と、前記複数箇所のそれぞれで前記撮影手段により撮影された映像をもとに前記映像処理手段で復調されたデータおよび特定された前記測定対象光源の像の前記映像中の位置をもとに前記測定対象光源の位置を特定する対象位置特定手段を有し、前記対象位置特定手段は、前記映像処理手段で復調されたデータをもとにそれぞれの箇所で撮影された前記映像に含まれる同じ前記測定対象光源の像を対応づけ、それぞれの撮影箇所における対応づけられた前記測定対象光源の像の前記映像中の位置及び各撮影箇所の位置および撮影時の前記撮影手段の姿勢から、前記測定対象光源の位置を特定することを特徴とする位置測定装置。
【請求項２】
異なる複数箇所に設けられ２次元の映像を撮影する複数の撮影手段と、各撮影手段で撮影された映像から該映像中の測定対象光源の点滅あるいは光量変動をもとに前記測定対象光源が光により送信したデータを復調するとともに前記測定対象光源の像の前記映像中の位置を特定する１ないし複数の映像処理手段と、複数の前記撮影手段により撮影された映像をもとに前記映像手段で復調されたデータおよび特定された前記測定対象光源の像の前記映像中の位置をもとに前記測定対象光源の位置を特定する対象位置特定手段を有し、前記対象位置特定手段は、前記映像処理手段で復調されたデータをもとにそれぞれの前記撮影手段で撮影された前記映像に含まれている同じ前記測定対象光源の像を対応付け、それぞれの前記撮影手段で撮影された映像における対応づけられた前記測定対象光源の像の前記映像中の位置及び前記撮影手段の位置および姿勢から、前記測定対象光源の位置を特定することを特徴とする位置測定装置。
【請求項３】
既知の位置に設置された基準光源からもデータにより変調された光が放射されており、前記撮影手段は、前記測定対象光源の像とともに前記基準光源の像も前記映像に含まれるように撮影し、また前記映像処理手段は、前記基準光源から送られてきたデータも復調するとともに前記基準光源の像の映像中の位置を特定し、さらに、前記映像処理手段で復調されたデータをもとに前記基準光源を特定するとともに該基準光源の位置を取得する基準光源位置取得手段と、前記映像処理手段で特定した前記基準光源の像の前記映像中の位置および前記基準光源位置取得手段で取得した前記既知光源の位置を用いて前記撮影手段の位置および姿勢を求める撮影位置特定手段を有し、前記対象位置特定手段は、複数の箇所で前記撮影位置特定手段で求めた前記撮影手段の位置及び姿勢をさらに用いて前記測定対象光源の位置を特定することを特徴とする請求項１または請求項２に記載の位置測定装置。
【請求項４】
さらに、通信路を通じて外部装置との通信を行う通信手段を有し、前記基準光源位置取得手段は、前記映像処理手段で復調して得たデータにより前記通信手段を通じて問い合わせを行い、前記データに対応する位置情報を取得して前記基準光源の位置とすることを特徴とする請求項３に記載の位置測定装置。
【請求項５】
さらに、前記基準光源が送信するデータと位置情報を対応づけて記憶する記憶手段を有し、前記基準光源位置取得手段は、前記映像処理手段で復調して得たデータに対応づけて記憶されている位置情報を前記記憶手段より取得して前記基準光源の位置とすることを特徴とする請求項３に記載の位置測定装置。
【請求項６】
前記基準光源は、該基準光源の位置をデータとして光により送信するものであり、前記基準光源位置取得手段は、前記映像処理手段で復調して得た前記基準光源からのデータを該基準光源の位置とすることを特徴とする請求項３に記載の位置測定装置。
【請求項７】
前記撮影位置特定手段は、後方交会法により前記撮影手段の位置及び姿勢を求めることを特徴とする請求項３ないし請求項６のいずれか１項に記載の位置測定装置。
【請求項８】
前記対象位置特定手段は、前方交会法により前記測定対象光源の位置を特定することを特徴とする請求項１ないし請求項７のいずれか１項に記載の位置測定装置。
【発明の詳細な説明】
【技術分野】
【０００１】
本発明は、位置を測定する位置測定技術に関するものである。
【背景技術】
【０００２】
橋やビルの建設など、様々な建設の現場では位置を正確に測定することが重要である。位置を測定する代表的な方法として、旧来は三角法により測量している。しかし三角法は人間が目視で測定する必要があるので、人間による測定誤差などが生じてしまう問題があり、また夜間に測定することが困難であるという問題もある。
【０００３】
近年、ＧＰＳ衛星を用いた測定方法も利用されるようになってきた。この方法では、数ミリから数センチの精度で位置測定が可能である。しかし、その精度を得るには１時間以上の時間が必要である。また、測定器は安定した場所に確実に固定し、長時間、その位置が変わらないことを前提としており、使い勝手の悪いものである。また、ＧＰＳ衛星からの電波が届かないトンネルや地下ではこの方法は使用できないという欠点もある。
【０００４】
また別の方法として、画像解析による位置測定方法も考えられている。例えば特許文献１においては、トンネル内にターゲットと呼ばれる光反射部材を配置し、カメラで撮影した画像を用いてトンネルの形状を測定している。この特許文献１の場合には、所定の間隔で配置された基準となるターゲットを同じ画像中に写し込むことにより画像上の長さと実際の長さとを対応付け、これをもとにして各ターゲットの２次元平面上の位置を割り出している。この特許文献１では、ある２次元平面での位置しかわからない。
【０００５】
画像を用いて３次元の位置を計測する方法も開発されている。例えば、既知の複数の位置から写真撮影を行い、得られた複数の写真から位置を求めるステレオ方式が使用されてきた。近年ではデジタルカメラなど、画像をコンピュータ処理できるようになり、位置計測もコンピュータ化されるようになってきている。
【０００６】
ある未知の点の正確な位置を測定する手法の一つとして、後方交会法と前方交会法がある。図６は、前方交会法及び後方交会法の説明図である。後方交会法は、座標が予めわかっている複数の基準点からカメラの座標及び姿勢を求めるものである。図６（Ａ）に示すように、点Ｏをカメラの原点とし、基準点Ｒがカメラの撮像面上の像として点ｒの位置に投影される。実際のカメラでは像はカメラの原点の後方に投影されるが、ここでは説明のためカメラの原点の前方に結像するものとして示している。
【０００７】
複数の基準点Ｒの３次元空間における位置と、その投影点ｒの撮像面上での位置（２次元）をもとに、カメラの原点Ｏの３次元空間における座標を求める。なお、カメラの原点と撮像面との距離は、実際のカメラではレンズの焦点距離などで得られ、この値を含めて投影点ｒはカメラ座標系における３次元の位置が求められることになる。
【０００８】
ここで、カメラの座標系はカメラの姿勢により回転しており、従って撮像面も回転している。そのため、カメラの原点Ｏの位置とともに、カメラの姿勢についても求める必要がある。カメラの姿勢は、３軸方向の角度を求めればよい。このように後方交会法では、カメラの位置として３変数、カメラの姿勢として３変数の合計６変数を特定することになる。そのためには、基準点は３点以上、望ましくは６点以上あればよく、基準点が多ければ精度を高められる。
【０００９】
また前方交会法は、上述の後方交会法とは逆に、複数の既知の撮影位置から測定対象点を撮影し、測定対象点の座標を求めるものである。図６（Ｂ）に示すように、カメラが点Ｏ１および点Ｏ２にあるときに測定対象点Ｐを撮影したものとする。このとき、測定対象点Ｐは撮像面上の点ｐ１、点ｐ２の位置に投影されたとする。得られた撮像面上での点ｐ１、点ｐ２の位置（２次元）と、カメラの３次元空間における位置（点Ｏ１，点Ｏ２）およびそれぞれの撮影位置におけるカメラの姿勢（３軸方向の回転角）、カメラの原点と撮像面との距離などから、測定対象点Ｐの３次元空間における位置を求めればよい。なお、前方交会法ではそれぞれの測定位置及びカメラの姿勢は既知のものとしている。
【００１０】
このような後方交会法と前方交会法を組み合わせ、複数の箇所において基準点および測定対象点の撮影を行い、基準点から後方交会法により各撮影位置とカメラの姿勢を求め、それぞれの撮影位置およびカメラの姿勢をもとに前方交会法により測定対象点の位置を求めることができる。
【００１１】
後方交会法によりカメラの位置および姿勢を求めるにしても、前方交会法により複数の測定対象点の位置を求めるにしても、複数の基準点あるいは測定対象点を同時に撮影するため、撮影された像がどの点のものであるかを特定する必要がある。この作業は、人手により行うことが考えられるが、点の数が多いと作業は繁雑であるし、また錯誤により異なる点を対応づけてしまうなど、問題も多い。
【００１２】
別の方法として、画像解析により各点の対応を図る方法もある。例えば基準点を特定のパターンにより構成しておき、その特定のパターンを検出して基準点の対応付けを行い、未知点については基準点との位置関係から対応づけることが考えられる。しかし、カメラの姿勢により特定のパターンの像は回転、変形しているため、特定のパターンを検出する処理は膨大な処理が必要となる。また、撮影状態によっては未知点の対応付けが正確に行われない場合もあった。そもそも、この方法では特定のパターンが必要であるという問題があった。
【００１３】
【特許文献１】特開２００３−７５１４９号公報
【発明の開示】
【発明が解決しようとする課題】
【００１４】
本発明は、上述した事情に鑑みてなされたもので、人手による各点の対応付けや特定のパターンの解析が不要であり、簡単に測定対象点の位置を正確に検出することができる位置測定装置を提供することを目的とするものである。
【課題を解決するための手段】
【００１５】
本発明は、１ないし複数の測定対象光源あるいはさらに複数の基準光源の光を複数の箇所で撮影し、あるいは複数台の撮影手段で撮影し、測定対象光源の位置を特定する位置測定装置である。測定対象光源および基準光源は、それぞれ異なるデータにより変調された光を放射しており、映像処理手段は、それぞれの測定対象光源および基準光源から放射される光を撮影した映像からデータを復調するとともに、測定対象光源の像の映像中の位置を特定する。この復調したデータをもとに、複数の箇所で撮影した映像に映っている各光源の像を対応づける。これにより、それぞれの光源について各映像中の位置がわかる。撮影手段の位置及び姿勢がわかっていれば、例えば前方交会法などにより各測定対象光源の各映像中の位置をもとに各測定対象光源の位置を特定することができる。また、各基準光源の既知の位置と、基準光源の映像中の位置とから、例えば後方交会法などにより撮影手段の位置及び姿勢を求めることができ、さらに上述のようにして測定対象光源の位置を特定することができる。
【００１６】
なお、基準光源の位置は、例えば通信手段を介して外部から取得したり、あるいは予め記憶手段に各基準光源の位置を記憶させておいて、復調したデータに対応する位置情報を取得したり、または、基準光源から送信するデータとして位置情報を送信するように構成することができる。
【発明の効果】
【００１７】
本発明によれば、各測定対象光源あるいはさらに各基準光源からデータを送信し、そのデータにより複数の映像間の光源の像の対応付けを行うので、人手による対応付けは不要であるとともに、パターン解析などの映像の処理が格段に簡単になり、高速かつ高精度で測定対象光源の位置を特定することができるという効果がある。
【発明を実施するための最良の形態】
【００１８】
図１は、本発明の第１の実施の形態を示すブロック図である。図中、１１は撮影部、１２は映像処理部、１３は基準光源位置取得部、１４は撮影位置特定部、１５は対象位置特定部、２１は記憶部、２２は通信部、３１は基準光源、３２は測定対象光源である。基準光源３１は、既知の位置に設置された光源である。この基準光源３１は、少なくとも３個、望ましくは６個以上設置される。また、測定対象光源３２は、特定すべき位置に設置された光源である。基準光源３１及び測定対象光源３２は、それぞれ異なるデータにより変調された光を放射し、この光によりデータを送信している。例えば、それぞれ異なるＩＤを送信することができる。また基準光源３１については、例えば既知の位置情報そのものを光により送信してもよい。変調方法は、後述の映像処理部１２で復調できる方式であるものとする。光源としては、変調により点滅あるいは光量変化の応答が速い光源を用いるとよく、例えば可視光ＬＥＤや赤外光ＬＥＤを用いることができる。もちろん、他の発光源を用いてもよい。なお、後述のように複数の異なる撮影箇所で映像を撮影するが、撮影箇所の位置が既知であれば基準光源３１及び基準光源位置取得部１３、撮影位置特定部１４などを設けずに構成してもよいが、ここでは撮影箇所の位置が既知でないものとして説明してゆく。
【００１９】
撮影部１１は、２次元受光素子及びその２次元受光素子に結像するための光学系などを有し、映像を撮影する。特にここでは、基準光源３１及び測定対象光源３２を含む映像を撮影する。なお、測定対象光源３２の位置を特定するため、複数の異なる箇所において撮影する。
【００２０】
映像処理部１２は、撮影部１１で撮影された映像から、その映像中の基準光源３１の像及び測定対象光源３２の像の点滅あるいは光量変動をもとに、基準光源３１及び測定対象光源３２が光により送信したデータをそれぞれ復調する。それとともに、基準光源３１の像および測定対象光源３２の像の映像中の位置を特定する。この各光源の像の映像中の位置は、撮影部１１における２次元受光素子上の受光位置に相当するものである。
【００２１】
基準光源位置取得部１３は、映像処理部１２で復調されたデータをもとに基準光源３１を特定するとともに、基準光源３１の３次元空間中の位置を取得する。基準光源３１の位置は既知であるが、映像中には複数の基準光源３１の像が含まれており、どの像がどの位置であるかを対応づける必要がある。本発明では基準光源３１からデータが送られてきており、そのデータを映像処理部１２で復調して得ているので、このデータをもとに既知の位置との対応付けを行う。
【００２２】
例えばデータとして光源のＩＤを送信している場合には、予め基準光源３１として設定されているＩＤとの照合を行うことにより基準光源３１を特定することができる。あるいは、データ中に基準光源である旨の情報を含ませておいてもよい。また、基準光源３１の位置の取得は、例えば基準光源３１からデータとして送られてきたＩＤをもとに通信部２２を通じて外部へ問い合わせを行い、ＩＤに対応する位置情報を取得して基準光源３１の位置とすればよい。あるいは、基準光源３１のＩＤと位置情報とを対応づけて記憶部２１に予め記憶させておき、復調したデータ中のＩＤに対応付けて記憶されている位置情報を記憶部２１から取得して基準光源３１の位置とすればよい。または、基準光源３１から位置情報がデータとして送信されている場合には、復調されたデータ中から位置情報を取り出して、それぞれの基準光源３１の位置としてもよい。
【００２３】
撮影位置特定部１４は、映像処理部１２で取得した複数の基準光源３１の像の映像中の位置、および、基準光源位置取得部１３で取得した基準光源３１の３次元空間中の位置を用いて、撮影部１１が撮影を行った箇所の３次元空間中の位置および撮影時の撮影部１１の姿勢を求める。上述のように基準光源３１の像の映像中の位置は、撮影部１１における２次元受光素子上の位置に対応するものであり、３次元空間中の撮影位置及び姿勢は、例えば図６（Ａ）で説明した後方交会法により求めることができる。
【００２４】
対象位置特定部１５は、複数箇所のそれぞれで撮影部１１により撮影された映像をもとに映像処理部１２で復調したデータおよび特定された測定対象光源の像の映像中の位置と、撮影位置特定部１４により特定された撮影箇所の位置および撮影時の姿勢をもとに、測定対象光源の位置を特定する。まず、それぞれの箇所で撮影された映像に含まれている同じ測定対象光源の像の対応づけを行う。すなわち、ある映像中の測定対象光源３２の像が、他の映像中のどの測定対象光源３２の像に対応するのかを特定し、対応づける。この対応付けは、映像処理部１２で復調されたデータをもとにして、複数の映像において同じデータが得られた像を、同じ測定対象光源３２のものであるとして対応づければよい。
【００２５】
それぞれの映像に含まれる測定対象光源３２の像がどの測定対象光源３２のものであるかが特定できたら、各測定対象光源３２について映像処理部１２で求めた各映像中の位置と、撮影位置特定部１４で求めた各撮影箇所の３次元空間中の位置及び姿勢から、例えば前方交会法により測定対象光源３２の３次元空間中の位置を特定すればよい。
【００２６】
記憶部２１は、装置内で記憶しておく必要がある種々の情報を記憶しておくことができ、適宜設ければよい。ここでは、予め設定されている基準光源３１の３次元空間中の位置を記憶しておく場合に設けられ、基準光源３１が送信するデータと各基準光源３１の位置情報を対応づけて記憶する。
【００２７】
通信部２２は、通信路を通じて外部装置との通信を行うものであり、適宜設ければよい。ここでは、基準光源３１の位置情報を外部装置から受け取る場合に設けられ、基準光源３１から送られてきたデータをもとに外部装置へ問い合わせを行い、その問い合わせの結果を外部装置から受け取る。
【００２８】
図２は、本発明の第１の実施の形態における使用例の説明図である。図２においては、橋梁の各点において位置を計測する場合の一例を示している。測定対象の橋梁に測定対象光源３２を複数配置している。また、橋梁を架設する際に基準としたポイントなど、位置が既知であって変化しない場所に基準光源３１を設置する。各基準光源３１及び測定対象光源３２は、それぞれ発光光を異なるデータにより変調し、光によりデータを送信している。なお、基準光源３１の位置は予め設定しておく。ここでは一例として、基準光源３１が送信するデータ（ＩＤ）とその基準光源３１の位置とを対応づけて外部装置が保持しているものとする。
【００２９】
図２に示す例では、撮影箇所Ａと撮影箇所Ｂで基準光源３１及び測定対象光源３２を含む映像を撮影する。図示の都合上、撮影部１１のみを示し、また撮影された映像の１コマを示している。まず、撮影箇所Ａにおいて基準光源３１及び測定対象光源３２を含む映像を撮影部１１が撮影する。映像処理部１２は、撮影した映像をもとに、その映像に含まれる基準光源３１及び測定対象光源３２から送られてきたデータを復調するとともに、基準光源３１及び測定対象光源３２の像の映像中の位置を特定する。
【００３０】
図３は、各光源から送られてくるデータの受信処理の一例の説明図である。ここでは１つの光源について着目して示している。上述のように、各光源はデータにより光の点滅や光量を変化させ、変調された光を放出している。例えば、変調方式としてＯＯＫ（Ｏｎ−Ｏｆｆ  Ｋｅｙｉｎｇ）を用いると、データが１の時に発光し、データが０の時に消灯する。すなわち光の点滅によりデータが送信される。そのため、撮影部１１で撮影した映像においては、光源の像が現れたり消滅したりすることになる。この様子を図３に示しており、映像の各フレームを順に参照し、例えば順にフレーム間の相関を取ることにより、光源の点滅や光量変動を抽出することができる。図３に示す例では、データとして１，０，１，…が得られる。なお、データの送受信方法については既存の技術を適用することができる。例えば変調方式としてはＯＯＫに限らず、ＰＰＭ（Ｐｕｌｓｅ  Ｐｏｓｉｔｉｏｎ  Ｍｏｄｕｌａｔｉｏｎ）など、あらゆる強度変調方式を用いることができる。また、データフォーマットなどについても任意に設計することができる。
【００３１】
撮影した映像中には複数の光源の像が含まれているが、これらそれぞれの光源の像について、図３で説明したようにしてデータを取得すればよい。また、１つのフレームのみを参照すると消灯中の光源については存在が確認できないが、複数のフレームを参照することによって映像中に存在している光源の像を抽出することができる。なお、例えば基準光源３１及び測定対象光源３２以外の他の光源からの光の写り込みや、これらの光源からの光が金属面などの鏡面で反射して写り込む場合もあるが、これらの像についてはデータが取得できないので、基準光源３１や測定対象光源３２と区別することができる。
【００３２】
基準光源３１及び測定対象光源３２からのデータが取得できたら、基準光源位置取得部１３は、基準光源３１から送られてきたデータをもとに通信部２２を通じて外部装置へ問い合わせを行い、予め設定されている各基準光源３１の位置を取得する。基準光源３１の位置は、例えば緯度および経度や、ある基準点からの東西および南北方向の距離と高度などが考えられるが、任意に設定した３次元空間における位置であってもよい。
【００３３】
そして、取得した各基準光源３１の予め設定されている位置と、各基準光源３１の映像上の位置とから、撮影位置特定部１４は例えば図６（Ａ）に示した後方交会法などにより撮影箇所Ａの３次元空間中の位置及び撮影時の姿勢を特定する。従来は基準光源３１と測定対象光源３２を映像上で分離するため、基準光源３１を特定の形状に配置するなど、基準光源３１の配置が制約されていたが、本発明ではそれぞれの基準光源３１から送られてくるデータにより識別するため、形状などで制約を受けることはない。また、従来は特定の形状を映像から抽出しなければならなかったが、本発明ではそのような処理は不要であり、簡単に各基準光源３１を特定し、また対応づけられている位置情報を取得することができる。
【００３４】
なお、この時点では１カ所からしか撮影していないので対象位置特定部１５は測定対象光源３２の位置を特定することができないが、例えば、映像処理部１２で得られた撮影箇所Ａでの各測定対象光源３２の像の映像中の位置と、各測定対象光源３２から送られてきて復調したデータを対応づけて、例えば記憶部２１などに記憶しておくとよい。
【００３５】
次に、図２に示す撮影箇所Ｂにおいて撮影部１１により撮影を行う。この撮影箇所Ｂにおいても、撮影箇所Ａの場合と同様に処理を進める。映像処理部１２において、撮影部１１で撮影した映像中に含まれる基準光源３１及び測定対象光源３２から送られてきたデータを映像処理部１２で復調し、また、基準光源３１及び測定対象光源３２の像の映像中の位置を特定する。そして、基準光源３１から送られてきたデータをもとに通信部２２を通じて外部装置へ問い合わせて各基準光源３１の位置情報を基準光源位置取得部１３が取得し、取得した各基準光源３１の位置情報と、各基準光源３１の映像中の位置とから、撮影位置特定部１４は撮影箇所Ｂの３次元空間中の位置及び撮影時の姿勢を特定する。
【００３６】
対象位置特定部１５は、撮影箇所Ｂにおいて撮影された映像に含まれている測定対象光源３２の像の映像中の位置を求め、それぞれの測定対象光源３２から送られてきたデータと対応づける。
【００３７】
少なくとも２カ所で撮影が行われると、測定対象光源３２の位置を特定することができる。ここまでで撮影箇所Ａにおける測定対象光源３２の映像中の位置とデータ、および、撮影箇所Ｂにおける測定対象光源３２の映像中の位置とデータが得られている。同じデータを得た測定対象光源３２の像の撮影箇所Ａで撮影した映像中の位置と，撮影箇所Ｂで撮影した映像中の位置とを用い、撮影位置特定部１４で特定した撮影箇所Ａ，Ｂの位置及び撮影時の姿勢から、例えば図６（Ｂ）に示した前方交会法などによって、測定対象光源３２の３次元空間中の位置を特定することができる。
【００３８】
この測定対象光源３２の３次元空間中の位置の特定の際に、上述のように２カ所で撮影した映像中の光源の像の対応付けを行う。この対応付けは、従来は特定の形状で配置された基準光源からの相対位置などで判断していたが、本発明ではそのような特定の形状などは不要であり、それぞれの測定対象光源３２から送られてくるデータの一致を判断すれば簡単に対応付けを行うことができる。
【００３９】
また、最終的に測定対象光源の位置を特定するまでに要する時間は、従来のＧＰＳを利用する場合には数時間を要していたのに比べると、光による通信速度にもよるが、数秒以下から長くても数分程度であり、従来に比べて格段に速く位置を測定することができる。
【００４０】
なお、ここでは２カ所で撮影して測定対象光源３２の位置を特定するものとしたが、例えば３カ所以上で撮影を行い、精度を向上させることもできる。また、各撮影箇所で位置を固定したままで姿勢を変更でき、しかもその姿勢を計測できる場合には、例えば基準光源３１の撮影と測定対象光源３２の撮影を別々に行ってもよい。この場合、基準光源３１の撮影時と測定対象光源３２の撮影時とで撮影倍率を変更することもでき、それぞれ倍率を上げて撮影することにより測定精度を向上させることができる。
【００４１】
さらに、各撮影箇所における位置及び撮影時の姿勢が分かる場合には、基準光源３１及び基準光源位置取得部１３、撮影位置特定部１４を設けずに構成してもよい。
【００４２】
図４は、本発明の第１の実施の形態における別の使用例の説明図である。図４においては、トンネル内の計測に利用した例を示している。特に図４に示した例では、既に掘削して計測が済んでいる壁面に基準光源３１を設け、また測定対象光源３２を切削面に設ける。
【００４３】
この例の場合にも上述の図２に示した例と同様に、異なる複数の箇所で基準光源３１および測定対象光源３２を含む映像を撮影部１１で撮影し、測定対象光源３２の位置を特定すればよい。本発明の方法では、光源を用いているため、この例のような暗いトンネル内であっても簡単に、しかも正確に測定対象光源３２の位置を求めることができる。
【００４４】
このような切削面における位置計測を反復して行うことにより、切削面の変異を検出することができる。切削面は崩壊するおそれがあるため、切削面の微少な変異を検出することにより事故防止に役立てることができる。また、この例では切削面に測定対象光源３２を設けた例を示したが、切削後の壁面に設けて、切削寸法を計測することもできる。
【００４５】
本発明の第１の実施の形態の構成は、上述のような橋梁やトンネルなどへの応用に限られるものではなく、様々な用途について測定対象光源３２あるいはさらに基準光源３１を設けて測定対象光源３２の位置を特定することができる。
【００４６】
図５は、本発明の第２の実施の形態を示すブロック図である。図中の符号は図１と同様であり、重複する説明を省略する。上述の第１の実施の形態では、対象位置特定部１５で測定対象光源３２の位置を特定するため、撮影部１１を移動させて異なる箇所で撮影を行うことになるが、この第２の実施の形態では、複数の撮影部１１−ａ，ｂを設け、それぞれの撮影部１１−ａ，ｂで映像を撮影する場合の構成例を示している。なお、図５では撮影部を２つ設けた例を示しているが、３以上設けてもよい。
【００４７】
さらに図５に示した例では、それぞれの撮影部１１−ａ，ｂに対応する映像処理部１２−ａ，ｂを設けている。映像処理部１２−ａは、撮影部１１−ａで撮影された映像から基準光源３１及び測定対象光源３２が光により送信したデータをそれぞれ復調するとともに、基準光源３１の像および測定対象光源３２の像の映像中の位置を特定する。同様に映像処理部１２−ｂは、撮影部１１−ｂで撮影された映像から基準光源３１及び測定対象光源３２が光により送信したデータをそれぞれ復調するとともに、基準光源３１の像および測定対象光源３２の像の映像中の位置を特定する。このようにそれぞれの撮影部１１−ａ，ｂに対応する映像処理部１２−ａ，ｂを設けておけば、異なる箇所における映像の撮影を同時に行うことができる。
【００４８】
なお、映像処理部１２を共用する構成とし、撮影部１１−ａ，ｂを１つずつ動作させて映像を撮影するように構成してもよい。撮影部１１−ａ，ｂを同時に動作させて映像を記憶させておき、映像処理部１２で１つずつ処理してゆくことも考えられるが、撮影時に映像処理部１２で処理を行っておけば、保存すべき情報量を格段に減少させることができる。
【００４９】
基準光源位置取得部１３は、映像処理部１２−ａ，ｂで復調されたデータをもとに基準光源３１を特定するとともに、基準光源３１の３次元空間中の位置を取得する。また撮影位置特定部１４は、映像処理部１２−ａ，ｂで取得した複数の基準光源３１の像の映像中の位置、および、基準光源位置取得部１３で取得した基準光源３１の３次元空間中の位置を用いて、撮影部１１−ａ，ｂの３次元空間中の位置および撮影部１１−ａ，ｂの撮影時の姿勢を求める。なお、この基準光源位置取得部１３および撮影位置特定部１４についても撮影部１１−ａ，ｂごとに設け、それぞれ対応する撮影部の位置および姿勢を特定するように構成してもよい。
【００５０】
対象位置特定部１５は、映像処理部１２−ａ，ｂで復調したデータおよび特定された測定対象光源の像の映像中の位置と、基準光源位置取得部１３で取得した撮影部１１−ａ，ｂの位置および撮影時の姿勢をもとに、測定対象光源の位置を特定する。
【００５１】
この第２の実施の形態の動作は、上述の第１の実施の形態とほぼ同様であり、異なる撮影箇所に撮影部１１を移動させる代わりに、それぞれの撮影箇所に撮影部１１を配置すればよい。例えば図２に示した例であれば、撮影箇所Ａと撮影箇所Ｂにそれぞれ撮影部１１−ａと撮影部１１−ｂを設置して、それぞれの撮影部１１−ａ，ｂで撮影した映像をもとに測定対象光源３２の位置を特定すればよい。図４に示した例も同様であるし、そのほかの用途についても同様である。
【００５２】
この第２の実施の形態では、それぞれの撮影箇所で撮影する際に撮影部を移動させる必要がないことから、各撮影部１１−ａ，ｂを動かないようにしておいて、測定対象光源３２の位置を反復して測定することができる。すなわち、各撮影部１１−ａ，ｂを設置したら、初回は基準光源位置取得部１３及び撮影位置特定部１４を動作させて各撮影部１１−ａ，ｂの位置及び撮影時の姿勢を特定した後に測定対象光源３２の位置を対象位置特定部１５で特定する。その後は、初回で特定した各撮影部１１−ａ，ｂの位置及び撮影時の姿勢の情報を使用して、測定対象光源３２の位置を対象位置特定部１５で特定することができる。
【００５３】
例えば図２に示した橋梁の例では、時々刻々と変化する橋梁部分のたわみの変化などを監視することができる。ビルなどの建物などでも、温度変化や風の影響、地震などの影響による柱や梁、壁面などにおけるたわみなどの変化についても同様に監視することができる。また、図４に示したトンネルの例では、切削面の変化を常に監視し、崩壊などの危険を察知することができる。同様に、傾斜地などに設置すれば、地滑りなどの崩落を監視することができる。これらの監視は、測定対象光源３２が発光源であることから、夜間や地下などの暗い場所でも行うことができる。また、対象位置特定部１５で測定対象光源３２の位置を特定する間隔は、各光源からのデータ転送速度や処理速度にもよるが、数秒以下の短時間間隔から数分や１時間以上などの長時間間隔で行うことができる。
【図面の簡単な説明】
【００５４】
【図１】本発明の第１の実施の形態を示すブロック図である。
【図２】本発明の第１の実施の形態における使用例の説明図である。
【図３】各光源から送られてくるデータの受信処理の一例の説明図である。
【図４】本発明の第１の実施の形態における別の使用例の説明図である。
【図５】本発明の第２の実施の形態を示すブロック図である。
【図６】前方交会法及び後方交会法の説明図である。
【符号の説明】
【００５５】
１１，１１−ａ，ｂ…撮影部、１２，１２−ａ，ｂ…映像処理部、１３…基準光源位置取得部、１４…撮影位置特定部、１５…対象位置特定部、２１…記憶部、２２…通信部、３１…基準光源、３２…測定対象光源。
【図１】
2009031206.tif 000003
【図２】
2009031206.tif 000004
【図３】
2009031206.tif 000005
【図４】
2009031206.tif 000006
【図５】
2009031206.tif 000007
【図６】
2009031206.tif 000008